(57)【特許請求の範囲】
【請求項１】
上下配置位置に配列した第１、第２の各収納部と、前記第１、第２の各収納部を支持アームの両端部に回動自在に支持して第１の収納部と第２の収納部とを連結し、支持アームの中間部に設けた回転支点で回転することにより前記第１、第２の各収納部の上下位置を入れ換え可能に支持する収納部支持手段と、前記回転支点をその軸線と直角な向きに水平移動できるように支持する摺動支持部と、前記第２の収納部をほぼ鉛直方向に移動させる案内手段とを備えた昇降収納装置。
【請求項２】
上下配置位置において、第１、第２の収納部の上下位置を入れ換えても、支持支点の軸がほぼ垂直位置に配列する請求項１に記載の昇降収納装置。
【請求項３】
前記案内手段は第２の収納部の背面近傍に設けたレール体に、第２の収納部の背部に設けたスライド体を係合して構成した請求項１または２に記載の昇降収納装置。
【請求項４】
前記第１の収納部に固定棚を備え、前記第２の収納部に水平方向に移動自在な可動棚を備えた請求項１〜３のいずれか１項に記載の昇降収納装置。
【請求項５】
前記請求項１〜４のいずれか１項に記載の昇降収納装置を前面が開口したキャビネットの内部に配設した昇降収納キャビネット。
【発明の詳細な説明】
【０００１】
【発明の属する技術分野】
本発明は、上下に配列した２つの収納部を必要に応じてその上下位置をそれぞれの昇降により入れ替えられる昇降収納装置に関するものである。
【０００２】
【従来の技術】
吊り戸棚は元来、デッドスペースとなりがちな高所空間を有効に利用するのに利用されてきた。しかし、収納部が高所であるため踏み台等を用いないと物を自由に出し入れできない。近時では、吊り戸棚などの高所に設置される収納部を昇降できるように支持し、物の出し入れは下部位置で行い、収納は上部位置で行う昇降収納装置が提案され、実用されている。すなわち図９に示すように、収納部１０１を平行リンクに構成された支持アーム１０２に支持させ、収納キャビネット１０３に内装させたものである。図中１０４は厨房装置等の作業台である。参考文献としては特開平７−１４８０２９号公報、特開平７−１４８０３１号公報他があげられる。
【０００３】
しかし、このような昇降収納装置では、昇降する高さ距離が小さいためキャビネット１０３をあまり高い位置に配置することができないという問題点があった。また、収納物により収納部１０１の重量が増したときに、上昇させるための操作に大きな力を加える必要があり、非力な女性や子供が使用するのに難があった。そして、このような昇降収納装置を図９のように厨房装置等の作業台上部に設置した場合では、収納部１０１はキャビネット１０３の手前側が下降位置となるので、収納部１０１を下降させた状態では流し台等の作業台１０４での作業ができなくなるという課題があった。
【０００４】
そこで、本出願人は新たに図１０、図１１のような昇降収納装置を提案した。すなわち図の昇降収納装置は、互いに連携する連携手段を設けた２つの収納部を上下に配置することにより、上方の収納部を約１８０度の回動により降下させると、その勢いで下方の収納部を上昇させて上下位置を入れ換えることができるというものである。具体的には、上下に配列した第１の収納部１１１と第２の収納部１１２と、各収納部を支持支点１１３、１１４で回転自在に支持して各収納部を連結し、支持支点１１３、１１４の間に設定した回転支点１１５を中心として回転する支持部材１１６と、回転支点１１５をその軸線と直角な向きに水平方向に移動できるように支持する摺動支持部１１７と、第１の収納部１１１の背部にローラー１１８を設け、キャビネット１１９の背板１１９ａにローラー１１８を当接させる構成としたものである。１２０は収納部１１２に設けられた把手である。
【０００５】
この昇降収納装置は、使用者が把手１２０を握り、収納部１１２を前方に引き出すと、収納部１１２を支持し、収納部１１１と連結させている支持部材１１６が回転支点１１５を中心として回転するので、収納部１１２は上昇方向へ移動すると同時に収納部１１１を下降方向へと移動させる。収納部１１１の背部に設けられたローラー１１８は背板１１９ａに当接し、移動時における収納部１１１の後方への突出を許さない構成としているので、支持部材１１６は回転支点１１５を摺動支持部１１７を介して前方へ移動させ、収納部１１１、１１２の干渉を最小限に抑えながら入れ替え動作を完了する。
【０００６】
この本提案による昇降収納装置により、昇降する高さ距離を従来より大きく取ることが可能となり、より高い位置への設置が実現できると共に、各収納部の重量が増したときでも、一方の収納部の下降の勢いによりもう一方の収納部を上昇方向への力を軽減することができ、非力な女性や子供や高齢者にとっても使いやすい昇降収納装置を実現することが可能となった。加えて１８０度の回動により収納部の収納箱体より前方への突出分がなくなるので、収納部を下降させた状態での流し台等の作業台での作業が可能となるという効果があった。
【０００７】
【発明が解決しようとする課題】
このような上下入れ換え式の昇降収納装置は、昇降上下移動により収納作業が飛躍的に軽減されるが、収納量や収納部への物品出し入れ性についての向上がさらに求められている。
【０００８】
本発明は上下入れ換え収納機能を生かしながら、収納物品の収納効率や出し入れ性にも優れた昇降収納装置を提供するものである。
【０００９】
【課題を解決するための手段】
上記課題を解決するため、本発明の昇降収納装置は、上下に配列した第１、第２の各収納部において、水平移動と回転移動により昇降動作する第１の収納部のラック体には固定棚を設け、鉛直方向に昇降動作する第２の収納部のラック体には前後方向に水平移動自在な可動棚を設けている。
【００１０】
上記構成によって、水平移動成分を有する第１の収納部は可動棚ではなく固定棚で、収納作業において棚に水平力が加わらない仕様としているため、使い勝手に不具合は生じない。
【００１１】
また第２の収納部は水平方向にスライド自在な可動棚を設けており、可動棚を出し入れさせることにより収納物品の収納作業性が大きく向上する。ここで、第２の収納部は昇降動作時における水平移動成分がないため可動棚の水平出し入れ操作に伴って収納部が動いてしまうことがなく使い勝手を阻害するというようなことがない。
【００１２】
そして、各収納部に配した固定棚や可動棚により、上下立体的に物品を収納することができるので、収納量の向上や分別収納性が促進される。
【００１３】
これにより、上下入れ換え収納機能の利便性を生かしながら、収納効率や作業性に優れた収納装置を実現することができる。
【００１４】
【発明の実施の形態】
本発明の請求項１にかかる昇降収納装置は、上下配置位置に配列した第１、第２の各収納部と、前記第１、第２の各収納部を支持アームの両端部に回動自在に支持して第１の収納部と第２の収納部とを連結し、支持アームの中間部に設けた回転支点で回転することにより前記第１、第２の各収納部の上下位置を入れ換え可能に支持する収納部支持手段と、前記回転支点をその軸線と直角な向きに水平移動できるように支持する摺動支持部と、一方の収納部をほぼ鉛直方向に移動させる案内手段とを備えたものである。
【００１５】
そして、第１の収納部を手前に引き出すと第１の収納部は支持支点が支持アームの回転支点を中心として前方に回動されるので、第２の収納部は支持支点が後方に回動しようとするが、第２の収納部は鉛直方向に移動させる案内手段により垂直方向へ案内をするので、支持アームが回動する動作でその回転支点を摺動支持部内で水平方向に押し出しながら、第２の収納部は第１の収納部の回動に伴って垂直方向に移動するため、第１の収納部と第２の収納部上下位置をスムーズに入れ換えることができる。
【００１６】
本発明の請求項２にかかる昇降収納装置は、上下配置位置において、第１、第２の収納部の上下位置を入れ換えても、支持支点の軸がほぼ垂直位置に配列する構成であり、これにより収納部を上下入れ換えても収納部が収納箱体より前方への突出することがない。
【００１７】
本発明の請求項３にかかる昇降収納装置は、案内手段を第２の収納部の背面近傍に設けたレール体に、第２の収納部の背部に設けたスライド体を係合して構成した案内手段を備えており、これにより第２の収納部の水平姿勢を保持する作用と、それを鉛直方向に案内する二つの作用をシンプルな構造で可能とすると共に、収納部の重心が前方に移動して支持支点を中心に収納部のラック体を回転させようとするモーメントをレール体がしっかりと支持するため、極めて強度の高い昇降収納装置を実現させることができる。
【００１８】
本発明の請求項４にかかる昇降収納装置は、第１の収納部に固定棚を備え、第２の収納部に水平方向に移動自在な可動棚を備えており、上記構成から明らかなように各収納部に棚を設置し、収納物品を上下多段に高密度に立体収納させることにより、収納効率が向上する。また第２の収納部の棚を前後にスライド自在とすることにより、奥行の深い物品の収納や前後に配列させた物品の出し入れ性が向上する。
【００１９】
また第２の収納部に物品を収納する際、スライド自在な可動棚を前後水平にスライドさせても、第２の収納部は鉛直方向にのみ昇降動作が規制されているため、これに伴って収納部が移動してしまうことがなく、収納作業に支障が生じることはない。
【００２０】
一方、第１の収納部はスライド自在な可動棚を配せず固定棚としているので、水平移動と回転移動の合成運動による昇降動作をなす第１の収納部であっても棚が動くような心配がなく収納作業が行える。
【００２１】
本発明の請求項５にかかる昇降収納キャビネットは、本発明の昇降装置を前面が開口したキャビネットの内部に配設することにより、キャビネット内の収納作業が上下立体的な収納が可能となり、収納目的に応じて適宜、棚の設置段数を設定すれば、収納量の向上や分別収納性が促進される。
【００２２】
【実施例】
以下、本発明の実施例について図面を用いて説明する。
【００２３】
（実施例１）
図１〜図７は本発明の実施例１を示す。
【００２４】
まず実施例１が採用している昇降機構を、図１〜図５を用いて説明する。
【００２５】
図１は本発明の実施例１における昇降機構の説明のための側方断面図である。図２は同実施例における昇降機構の正面要部断面図である。図３は同実施例における昇降機構のキャビネットを除いた状態における斜視図である。図４は一方の昇降機構を正面から見た要部断面図である。図５（ａ）〜（ｇ）は同実施例における昇降機構の入れ替え動作順序を説明する側方断面図である。
【００２６】
図１が示すように、昇降機構１は、第１の収納部２の支持支点Ｐ１と第２の収納部３の支持支点Ｐ２との間を連結する支持アーム４からなる収納部支持手段と、収納部２、３をその上下配置位置において収容し前面を開口したキャビネット５の両側板に取り付けられて前記支持アーム４の回転支点Ｏを水平方向に移動自在に支持する摺動支持部６と、第１の収納部２を回転角度にかかわらず一定の水平姿勢に維持する第１の収納部の姿勢規制手段７と、第２の収納部３の水平姿勢を維持しその昇降時の移動経路を鉛直方向に規制する案内手段８とを備えている。そして上記案内手段８を構成する断面がコの字型のガイドレール９ａはキャビネット５の背面に取り付けられ、ガイドレール９ａは第２の収納部３の背部の上下に設けられたガイドローラー９ｂを受け入れて前後の移動を阻止し、収納部３を垂直方向にだけ動くように案内する。
【００２７】
以上の昇降機構１は図２に示すように、左右対称位置に昇降機構１Ｌ、１Ｒとして配備され、各支持アーム４Ｌ、４Ｒの各回転支点Ｏ間は連結軸１０で連結され、左右の昇降機構１Ｌ、１Ｒが同期して動作するように構成されている。これにより第１、第２の各収納部２、３は左右が一体に支持され、収納物の片寄りにより荷重が左右でアンバランスな状態でも、ねじれたり傾くようなことがなく、左右の動きに差が生じるようなことが解消される。
【００２８】
図４に示す昇降機構１Ｌを例にしてさらに説明すると、支持アーム４Ｌはその回転支点Ｏに対応する中間部で連結軸１０で連結され水平移動軸１１Ｌによりキャビネット１２の側板内面に回動自在に支持され、水平移動軸１１Ｌはその上下に配したローラ１３ａ，１３ｂを摺動支持部６Ｌの上下にコの字状の断面形状に形成された凹部に装入させ、摺動支持部６Ｌを水平方向に円滑に移動できるようにされている。また、水平移動軸１１Ｌの先端には固定プーリ１４Ｌが回転支点Ｏと同心で固定されている。
【００２９】
支持アーム４Ｌの両端部の支持支点Ｐ１，Ｐ２位置に固定された軸１５Ｌａ、１５Ｌｂにはそれぞれ回転プーリ１６Ｌと回転輪１７Ｌが同心で回動自在に装着され、この回転プーリ１６Ｌには第１の収納部２が、回転輪１７Ｌには第２の収納部３が、それぞれ側板２Ｌ、３Ｌのほぼ中央部で固定支持されている。
【００３０】
上記の固定プーリ１４Ｌと回転プーリ１６Ｌは同径寸法に設定され、両者間にはタイミングベルト１８が掛け渡され、第１の収納部の姿勢規制手段７を構成している。
【００３１】
ここで、昇降機構１による各収納部２、３の昇降動作について図５の（ａ）〜（ｇ）に基づき説明する。
【００３２】
図５の（ａ）に示すようにキャビネット５に収納された第１の収納部２と第２の収納部３との上下位置を入れ換えるときには、ガイドローラー９ｂを持たない第１の収納部２の操作ハンドルＡを手前に引き出す。すると第１の収納部２は支持支点Ｐ１が支持アーム４の回転支点Ｏを中心として前方に回動されるので、第２の収納部３は支持支点Ｐ２が後方に回動しようとするが、第２の収納部３側はガイドレール９ａが、ガイドローラー９ｂにかかる力を受け止め、ガイドローラー９ｂ垂直方向へ案内をするので、支持アーム４が回動する動作でその回転支点Ｏを摺動支持部６内で水平方向に押し出しながら、図５（ｂ）〜（ｄ）に示すように第２の収納部３は第１の収納部２の回動に伴って垂直方向に上昇する。
【００３３】
図５（ｄ）に示す状態からさらに第１の収納部２を回動させると、前記と反対に支持アーム４の回動支点Ｏは元の位置に戻る方向に引き寄せられ、図５の（ｅ）〜（ｆ）に示すように、第１の収納部２は回動しつつキャビネット５内の下方に進入して行くのに連動して、第２の収納部３は垂直方向にさらに上昇し、図５の（ｇ）に示すように第１の収納部２が第２の収納部３が元配列されていた下方位置に入ったとき、第２の収納部３は第１の収納部２が元配列されていた上方位置に上昇して、第１の収納部２と第２の収納部３との配列位置が上下入れ替わる。
【００３４】
図５の（ｇ）に示す状態から第１の収納部２を引き出し、上記操作と逆方向に回動させると、第２の収納部３は垂直方向に下降し、図５の（ｆ）〜（ａ）の逆動作でそれぞれ元の配列位置に復帰させることができる。
【００３５】
このような各収納部２、３の上下入れ替え動作において、第１の収納部２は支持アーム４によって支持支点Ｐ１に１軸で回動自在に支持されているので、支持支点Ｐ１に対する第１の収納部２の重心のずれや第１の収納部２の回動操作により水平姿勢が傾こうとする。ここで第１の収納部２に固定支持されている回転プーリ１６は回転支点Ｏにある固定プーリ１４との間でタイミングベルト１８が掛け渡され、滑りのない形で回転連動している。今、回転プーリ１６と固定プーリ１４は同径に設定しており、タイミングベルト１８は第１の収納部２が回動して支持アーム４の支持角度が変化する方向と逆の方向に同角度だけ第１の収納部２を回転させる働きを営み、結果として第１の収納部２は常にその水平姿勢を維持することができる。
【００３６】
次に前記の昇降機構をベースに、収納部に収納用の棚を配した本発明の実施例１を図６、図７を用いて説明する。
【００３７】
なお、図６（ａ）〜（ｇ）は本実施例における入れ替え動作順序を説明する側方断面図である。図７は同実施例における昇降収納装置の正面要部断面図である。
【００３８】
第１と第２の収納部２、３は前面を開口したラック体で構成され、第１の収納部２には棚１９がそのラック体の両側面に取り付けられた棚受け２４上に載置設置されている。
【００３９】
第２の収納部３には水平前方に引き出し自在な可動棚２０が設けられており、可動棚２０はそのラック体の両側面に取り付けられたスライドレール２１上に支持されて可動するようになっている。
【００４０】
各収納部に配した棚１９や可動棚２０により、上下立体的な収納が可能となり、収納目的に応じて適宜、棚の設置段数を設定すれば、収納量の向上や分別収納性が促進される。
【００４１】
ここで第２の収納部３の可動棚２３を引き出し、収納物品２２ａ、２２ｂを出し入れしようとするとき、第２の収納部３の昇降動作は案内手段８により鉛直方向に規制され水平移動成分がないため、可動棚２０の水平方向操作力に伴い、収納部３が動いてしまうことがない。
【００４２】
可動棚２０を引き出すことにより、奥行の深い収納物品２２ａの出し入れが容易になり、また小物品２２ｂを前後に配列して出し入れする場合なども、前方の収納物品が邪魔にならない。
【００４３】
また図６（ｇ）の様に可動棚２０が引き出された状態で、ここに重い収納物品２３が積載されると、第２の収納部３の重心は支持支点Ｐ２よりかなり前方に移動し、収納部３のラック体を前方に回転移動させようとするモーメントが働くが、ガイドレール９ａは収納部３のラック体の回転と移動を阻止すると共に、水平姿勢をしっかりと維持する。また、ガイドレール９ａを剛性の高いものとし、これに係合するガイドローラー９ｂの上下間距離ｈを大きく取れば、極めて構造がシンプルで収納荷重に対する耐久強度の優れたものにすることができる。
【００４４】
第１の収納部２の昇降動作は、水平運動と回転運動の合成された動作からなっているため、収納部２に水平力を与えたり、支持支点Ｐ１に対する重心が前方に大きくずれたりすると収納部２は移動し、図６（ａ）（ｇ）の収納作業位置での停止ができなくなる。
【００４５】
ここで第１の収納部２では棚受け上に載置するスタイルの棚１９としているため、上記の様な使い勝手上の不具合を回避することができる。
【００４６】
なお、本実施例では棚１９は棚受け２４により着脱自在で上下位置調整が可能な形態としているが、ビス等により収納部２のラック体に固着する構成としても、本願発明の目的を達成できるものである。
【００４７】
（実施例２）
次に、本発明の実施例２の昇降収納装置を図８を用いて説明する。
【００４８】
なお、図８（ａ）〜（ｇ）は本発明の実施例２の昇降収納装置を示す側方断面図である。なお、実施例１と同一符号のものは同一構造を有し、説明は省略する。
【００４９】
本実施例２において実施例１と異なる点は、第２の収納部３の水平姿勢保持と鉛直方向への案内手段８の構成である。ここでは水平姿勢保持手段として第１の収納部２と同様のタイミングベルト１８を使った方式をとっており、鉛直方向へ移動を規制する手段としてリンク２５を使用している。リンク２５は一方端２５ａをキャビネットの側面１２に回転自在に連結し、また他方端２５ｂを支持アーム４上に回転自在に連結し、第２の収納部３の移動経路をほぼ鉛直方向に規制している。
【００５０】
図８の（ａ）から（ｄ）に向けて第１の収納部２を前方に引き出し、支持アーム４を回転させていくと、リンク２５の突っ張り作用で回転支点Ｏは前方に移動し、（ｄ）から（ｇ）に向けてはリンク２５の引っ張り作用により回転支点Ｏは後方に移動し、このとき支持支点Ｐ２はほぼ鉛直方向に近い軌跡で案内される。
【００５１】
第１の収納部２の固定棚１９と第２の収納部３の可動棚２０は実施例１と同じで、同様に収納作業性に優れた昇降収納装置を実現することができる。
【００５２】
【発明の効果】
以上説明したように本発明の請求項１記載の昇降収納装置は、収納物品を上下多段に高密度に立体収納させることにより、収納効率を向上させることができ、空間の有効活用が促進される。また棚を前後にスライド自在とすることにより、奥行の深い物品の収納や前後に配列させた物品の出し入れ性が向上する。また、この可動棚を、昇降動作の際に水平移動成分を持たない第２の収納部側に設けることにより、可動棚の前後スライド動作に伴って収納部そのものが移動してしまうことがなく、収納作業に支障が生じることはない。
【００５３】
一方、第１の収納部はスライド自在な可動棚を配せず固定棚としているので、水平移動と回転移動の合成運動による昇降動作をなす第１の収納部であっても棚が動くような心配がなく収納作業が行える。
【００５４】
また、請求項２記載の昇降装置は、収納部の上下位置を入れ換えても、支持支点の軸がほぼ垂直位置に配列する構成であり、これにより収納部を上下入れ換えても収納部が収納箱体より前方への突出することがない。
【００５５】
また、請求項３記載の昇降収納装置は、第２の収納部の水平姿勢を保持する作用と、それを鉛直方向に案内する二つの作用がシンプルな構造で可能となると共に、第２の収納部に設けられた可動棚を引き出した時、収納部の重心が前方に移動して支持支点を中心に収納部を回転させようとするモーメントをレール体がしっかりと支持するため、極めて強度の高い昇降収納装置を実現させることができる。
【００５６】
このように、本発明によれば、各収納部の昇降動作特性に最適な収納形態を構成し、極めて使い勝手が良く収納効率の高い昇降収納装置が実現可能となる。
【図面の簡単な説明】
【図１】  本発明の実施例１における昇降収納装置の側方断面図
【図２】  図１の昇降収納装置の正面要部断面図
【図３】  図１の昇降収納装置の斜視図
【図４】  図２の一方の昇降機構を正面から見た要部断面図
【図５】  （ａ）〜（ｇ）は本発明の実施例１における昇降収納装置の入れ替え動作順序を説明する側方断面図
【図６】  （ａ）〜（ｇ）は本発明の実施例１における昇降収納装置の入れ替え動作順序を説明する側方断面図
【図７】  同実施例１における昇降収納装置の正面要部断面図
【図８】  本発明の実施例２における昇降収納装置の入れ替え動作順序を説明する側方断面図
【図９】  従来の昇降収納装置を示す側方断面図
【図１０】  本出願人の提案する昇降収納装置を示す側方断面図
【図１１】  （ａ）〜（ｇ）は同昇降収納装置の入れ替え動作順序を説明する側方断面図
【符号の説明】
１  昇降機構
２  第１の収納部
３  第２の収納部
４  支持アーム（収納部支持手段）
５  キャビネット
６  摺動支持部
７  姿勢規制手段
８  案内手段
１９  固定棚
２０  可動棚
９ａ  レール体
９ｂ  スライド体
Ｏ  回転支点
Ｐ１  第１の収納部の支持支点
Ｐ２  第２の収納部の支持支点
【図１】
0003704961.tif 000002
【図２】
0003704961.tif 000003
【図３】
0003704961.tif 000004
【図４】
0003704961.tif 000005
【図５】
0003704961.tif 000006
【図６】
0003704961.tif 000007
【図７】
0003704961.tif 000008
【図８】
0003704961.tif 000009
【図９】
0003704961.tif 000010
【図１０】
0003704961.tif 000011
【図１１】
0003704961.tif 000012